(57)【要約】【課題】本体の表示部に対応する開口部を有する化粧パネルを着脱可能とする携帯電子機器において、本体に対し化粧パネルほぼ中央の表示部周囲の開口部に沿って隙間が発生しないようにして、ガタツキの問題や外観に与える影響を解消する。【解決手段】長手方向ほぼ中央に表示部２０３を有する本体２と、長手方向ほぼ中央に表示部２０３に対応する開口部２６１を有する化粧パネル２６を、長手方向両端部で着脱可能に結合し、さらに、表示部２０３及び開口部２６１の両側部で着脱可能に結合する。これにより、本体２の表示部２０３周囲に対し化粧パネル２６の開口部２６１に沿って隙間が発生しないので、化粧パネル２６の隙間によるガタツキの問題がなく外観も良好である。【選択図】図６
2005167788.tif 000002
【特許請求の範囲】
【請求項１】
長手方向ほぼ中央に表示部を有する本体と、
長手方向ほぼ中央に前記表示部に対応する開口部を有する化粧パネルとを備え、
前記本体及び前記化粧パネルを、長手方向両端部で着脱可能に結合するとともに、前記表示部及び前記開口部の両側部で着脱可能に結合したことを特徴とする携帯電子機器。
【請求項２】
前記本体及び前記化粧パネルの長手方向両端部に差し込み係合部を設けたことを特徴とする請求項１に記載の携帯電子機器。
【請求項３】
前記本体の前記表示部及び前記化粧パネルの前記開口部の両側部を粘着ゴムまたは両面テープで接着したことを特徴とする請求項１または２に記載の携帯電子機器。
【請求項４】
前記本体の前記表示部及び前記化粧パネルの前記開口部の両側部に差し込み係合部を設けたことを特徴とする請求項１または２に記載の携帯電子機器。
【請求項５】
前記本体及び前記化粧パネルを長手方向一端部で固定状態にロックし、且つロック解除動作により前記本体に対し前記化粧パネルを押し上げるロック部材を備えることを特徴とする請求項１から４のいずれか一項に記載の携帯電子機器。
【発明の詳細な説明】
【技術分野】
【０００１】
本発明は、表示部を備える携帯電子機器に関する。
【背景技術】
【０００２】
近年、携帯電話機に代表される表示部を備える携帯電子機器が普及している。
折り畳み式携帯電話機において、内側面に表示部を備える蓋体の外側面に着せ替え用の化粧パネルを取付可能として、ユーザーが選択するデザインの多様化が図られたものがある。その一例として蓋体の外側面に化粧パネルを周囲の差し込み係合により着脱可能とした技術がある（例えば特許文献１参照）。
【特許文献１】特開２００２−１２５０２２号公報
【発明の開示】
【発明が解決しようとする課題】
【０００３】
ところで、ユーザーの使い勝手の向上を企図して、内側面にメイン表示部を備える蓋体の外側面のほぼ中央にサブ表示部を設けようとする場合、着せ替え用の化粧パネルにはサブ表示部に対応する開口部を設けておく必要がある。
そうすると、蓋体に対し化粧パネルほぼ中央のサブ表示部周囲の開口部に沿って隙間が発生し、ガタツキや外観に影響を与える問題が考えられる。
【０００４】
本発明の課題は、本体の表示部に対応する開口部を有する化粧パネルを着脱可能とする携帯電子機器において、本体に対し化粧パネルほぼ中央の表示部周囲の開口部に沿って隙間が発生しないようにして、ガタツキの問題や外観に与える影響を解消することである。
【課題を解決するための手段】
【０００５】
以上の課題を解決するため、請求項１に記載の発明は、例えば図５及び図６または図８から図１０に示すように、長手方向ほぼ中央に表示部２０３を有する本体２（下ケース２１）と、長手方向ほぼ中央に前記表示部２０３に対応する開口部２６１を有する化粧パネル２６とを備える携帯電子機器であって、前記本体２（２１）及び前記化粧パネル２６を、長手方向両端部で着脱可能に結合するとともに、前記表示部２０３及び前記開口部２６１の両側部で着脱可能に結合したことを特徴とする。
【０００６】
請求項１に記載の発明によれば、本体及び化粧パネルを、長手方向両端部で着脱可能に結合することに加え、表示部及び開口部の両側部で着脱可能に結合したので、本体の表示部周囲に対し化粧パネルの開口部に沿って隙間が発生しない。従って、化粧パネルの隙間によるガタツキの問題がなく外観も良好である。
【０００７】
請求項２に記載の発明は、請求項１に記載の携帯電子機器であって、例えば図５及び図６に示すように、前記本体２（２１）及び前記化粧パネル２６の長手方向両端部に差し込み係合部、即ち、差し込み爪２６ａ及び係合片２１ａと差し込み突起２６ｂ及び係合孔２１ｂ、または差し込み爪２６ｃ及び係合孔２１ｃと差し込み片２６ｅ、係合孔２１ｅ及びグロメット３１を設けたことを特徴とする。
【０００８】
請求項３に記載の発明は、請求項１または２に記載の携帯電子機器であって、例えば図６に示すように、前記本体２（２１）の前記表示部２０３及び前記化粧パネル２６の前記開口部２６１の両側部を粘着ゴムまたは両面テープ（接着部材）２９で接着したことを特徴とする。
【０００９】
請求項４に記載の発明は、請求項１または２に記載の携帯電子機器であって、例えば図８から図１０に示すように、前記本体２（２１）の前記表示部２０３及び前記化粧パネル２６の前記開口部２６１の両側部に差し込み係合部、即ち、差し込み片２６ｄと係合孔２１ｄ及びグロメット３１を設けたことを特徴とする。
【００１０】
請求項５に記載の発明は、請求項１から４のいずれか一項に記載の携帯電子機器であって、例えば図１１から図１３に示すように、前記本体２（２１）及び前記化粧パネル２６を長手方向一端部で固定状態にロックし、且つロック解除動作により前記本体２（２１）に対し前記化粧パネル２６を押し上げるロック部材（報知用ＬＥＤカバー）３２を備えることを特徴とする。
【発明の効果】
【００１１】
本発明によれば、本体の表示部周囲に対し化粧パネルの開口部に沿って隙間が発生しないため、化粧パネルの隙間によるガタツキの問題がなく外観も良好である。
【発明を実施するための最良の形態】
【００１２】
以下、図を参照して本発明を実施するための最良の形態を詳細に説明する。
（実施形態１）
本発明を適用した携帯電子機器の一実施形態として折り畳み式携帯電話機を示した図１及び図２において、１は本体部、２は蓋部である。
本体部１は、アンテナ１０１、カメラキー１０２、メールキー１０３、十字キー１０４、決定キー１０５、アドレス帳キー１０６、ネット接続キー１０７、クリアキー１０８、オンフックキー１０９、オフフックキー１１１、テンキー１１２、マイク１１３、カードスロットカバー１１４、報知用スピーカ放音部１１５、電池パック１１６、充電用端子１１７、ＵＳＢ端子１１８、コネクタカバー１１９、ボイス録音キー１２１、マナーキー１２２、ストラップ取付部１２３等を備える。
蓋部２は、スピーカ２０１、メイン表示部２０２、サブ表示部２０３、報知用ＬＥＤ２０４、撮像レンズ２０５、フラッシュ用ＬＥＤ２０６等を備える。
【００１３】
本体部１は、図３及び図４に示すように、下ケース１１、中ケース１２、上ケース１３、ヒンジピース１４・１５、メイン回路基板１６、キーフィルム基板１７、キーパッド１８、キートッププレート１９等から構成されている。図中、１２５は報知用スピーカ、１２６は電池蓋、１３１はミニメモリカード、１３２は外部メモリシールドケースである。
蓋部２は、図５に示すように、下ケース２１、中ケース２２、上ケース２３、ヒンジピース２４、化粧パネル２６、レシーバーカバー２７、ロゴプレート２８等から構成されている。図中、３０は中ケースアッシー、２１０はケースビス、２１２はメインディスプレイパネル、２１３はサブディスプレイパネル、２１５はレンズカバー、２１６はＬＥＤカバー、２２０・２３０・２４０はクッション、２２５はレンズパネル、２３２・２３３・２３５・２３６・２７１・２８１は両面テープである。
【００１４】
中ケースアッシー３０は、中ケース２２内に前記メイン表示部２０２、サブ表示部２０３、撮像レンズ２０５及びフラッシュ用ＬＥＤ２０６等を組み込んだものである。メイン表示部２０２及びサブ表示部２０は液晶表示基板を背中合わせに組み込まれて中ケース２２の表裏面にそれぞれ露出している。撮像レンズ２０５及びフラッシュ用ＬＥＤ２０６も中ケース２２の一面に露出している。
この中ケースアッシー３０を下ケース２１と上ケース２３との間に挟んでケースビス２１０により固定している。サブ表示部２０３、撮像レンズ２０５及びフラッシュ用ＬＥＤ２０６は下ケース２１の表面に露出している。
そして、下ケース２１の表面に化粧パネル２６が着脱可能に装着される。即ち、化粧パネル２６は着せ替え可能である。
【００１５】
図６は化粧パネル２６の蓋部２本体への取付構造を示すもので、下ケース２１の表面には化粧パネル２６の外形形状に対応した化粧パネル装着部２１１が形成されている。この下ケース２１には、化粧パネル装着部２１１の長手方向において、撮像レンズ２０５側の一端部に係合片２１ａが形成される一方、報知用ＬＥＤ２０４側に隣接する他端部に係合孔２１ｂが形成されている。図示のように、下ケース２１の幅方向において、係合片２１ａは中央及び左右両側の三箇所に設けられ、係合孔２１ｂは中央の一箇所に設けられている。
【００１６】
また、化粧パネル２６には、その長手方向ほぼ中央にサブ表示部２０３用の開口部２６１が形成されるとともに、撮像レンズ２０５用の開口部２６２とフラッシュ用ＬＥＤ２０６用の開口部２６３が連続形状となって形成されている。この化粧パネル２６の長手方向において、一端部の撮像レンズ２０５用の開口部２６２側に差し込み爪２６ａが形成される一方、他端部の報知用ＬＥＤ２０４を囲む切欠部２６４近傍に差し込み突起２６ｂが形成されている。即ち、図５にも示すように、化粧パネル２６の幅方向において、下ケース２１の係合片２１ａに対応する中央及び左右両側三箇所の差し込み爪２６ａが設けられ、下ケース２１の係合孔２１ｂに対応する中央一箇所の差し込み突起２６ｂが設けられている。
そして、下ケース２１の化粧パネル装着部２１１の左右両側には、帯状の接着部材２９が長手方向にわたって貼り付けられている。この接着部材２９は、両面テープまたは粘着ゴムであり、図示のように、サブ表示部２０３の両側に沿って帯状に設けられている。
【００１７】
以上の下ケース２１に対し化粧パネル２６を装着する場合、一端側の中央及び左右両側の三箇所において、差し込み爪２６ａを係合片２１ａの下側に差し込んでから、他端側の中央一箇所で差し込み突起２６ｂを係合孔２１ｂに差し込む。そして、化粧パネル２６を下ケース２１に押し付けることで、左右両側において、両面テープまたは粘着ゴムによる帯状の接着部材２９により両者が接着状態に保持される。
なお、化粧パネル２６を外す場合、接着部材２９の接着保持力に抗して下ケース２１から化粧パネル２６を引き剥がすとともに、係合孔２１ｂから差し込み突起２６ｂを引き抜いて、係合片２１ａの下側から差し込み爪２６ａを引き抜く。
【００１８】
以上の通り、実施形態では、折り畳み式携帯電話機の蓋部２の下ケース２１に対し化粧パネル２６を、長手方向両端部に設けた差し込み爪２６ａ及び係合片２１ａと差し込み突起２６ｂ及び係合孔２１ｂとの差し込み係合による結合に加え、中央のサブ表示部２０３及び開口部２６１の両側部を含んで接着部材２９により接着した構造となっている。
これにより、下ケース２１のサブ表示部２０３の周囲に対し化粧パネル２６の開口部２６１に沿って隙間が発生しない状態に保持されている。
従って、サブ表示部２０３を備える蓋部２において、着せ替え用の化粧パネル２６のサブ表示部２０３を囲む開口部２６１の隙間によるガタツキの問題を解消でき、外観も良好にできる。
【００１９】
（実施形態２）
この実施形態では、図７から図１０に示すように、下ケース２１（化粧パネル装着部２１１）に係合孔２１ｃ・２１ｄ・２１ｅを形成して、化粧パネル２６に差し込み爪２６ｃ及び差し込み片２６ｄ・２１ｅを形成している。そして、グロメット３１を使用している。なお、報知用ＬＥＤ２０４及び切欠部２６４の形状が変更となっている。
即ち、図示例では、下ケース２１には、撮像レンズ２０５側の左右両端部に係合孔２１ｃが、サブ表示部２０３に対応した開口部２６１の両側に係合孔２１ｄが、報知用ＬＥＤ２０４側に沿った左右に係合孔２１ｅがそれぞれ形成されている。
また、化粧パネル２６には、係合孔２１ｃに対応する二つの差し込み爪２６ｃが形成されるとともに、係合孔２１ｄ・２１ｅに対応する四つの差し込み片２６ｄ・２６ｅが形成されている。
そして、係合孔２１ｄ・２１ｅと差し込み片２６ｄ・２６ｅとに対応する四つのグロメット３１が用意されている。このグロメット３１は、図９及び図１０に示すように、係合孔２１ｄ・２１ｅの各々に予め嵌め付けておく。
【００２０】
以上の下ケース２１に対し化粧パネル２６を装着する場合は、図１０に示したように、撮像レンズ２０５側の左右両端部の係合孔２１ｃに差し込み爪２６ｃを差し込んでから、サブ表示部２０３及び開口部２６１両側の係合孔２１ｄに差し込み片２６ｄを差し込むとともに、報知用ＬＥＤ２０４側に沿った左右の係合孔２１ｅに差し込み片２６ｅを差し込む。
これにより、下ケース２１に化粧パネル２６が装着状態に保持される。即ち、係合孔２１ｄ・２１ｅに嵌め付けられたグロメット３１の弾性力によって、グロメット３１に差し込まれた差し込み片２６ｄ・２６ｅがその状態を保持される（図８参照）。
なお、化粧パネル２６を外す場合、下ケース２１から化粧パネル２６を引き剥がすようにして、係合孔２１ｄ・２１ｅ及びグロメット３１から差し込み片２６ｄ・２６ｅを引き抜いて、係合孔２１ｃから差し込み爪２６ｃを引き抜く。
【００２１】
以上の通り、この実施形態では、折り畳み式携帯電話機の蓋部２の下ケース２１に対し化粧パネル２６を、長手方向両端部に設けた差し込み爪２６ｃ及び係合孔２１ｃと差し込み片２６ｅ、係合孔２１ｅ及びグロメット３１との差し込み係合による結合に加え、中央のサブ表示部２０３及び開口部２６１の両側部も差し込み片２６ｄと係合孔２１ｄ及びグロメット３１の差し込み係合により結合した構造となっている。
これによっても前述した実施形態１と同様に、下ケース２１のサブ表示部２０３の周囲に対し化粧パネル２６の開口部２６１に沿って隙間が発生しない状態に保持されるので、着せ替え用の化粧パネル２６のサブ表示部２０３を囲む開口部２６１の隙間によるガタツキの問題を解消でき、外観も良好にできる。
【００２２】
（実施形態３）
この実施形態は、図１１から図１３に示すように、下ケース２１の前記報知用ＬＥＤ２０４の部分に、前述した実施形態１または実施形態２と同様の化粧パネル２６を固定状態にロックし、且つロック解除動作により前記化粧パネルを押し上げるロック部材３２を設けている。このロック部材３２は報知用ＬＥＤカバー兼用である。
即ち、報知用ＬＥＤカバー兼用のロック部材３２は、下ケース２１に対し着脱可能なもので、図示のように、化粧パネル２６内へ差し込まれる差し込み片３２１を有するとともに、化粧パネル２６の切欠部２６４と対向する部分に左右のロック溝３２２を有している。
また、化粧パネル２６の切欠部２６４には、ロック溝３２２に対応する左右のロック爪２６５を形成している。
そして、ロック部材３２の差し込み片３２１の先端側は、図１３に示すように、化粧パネル２６の切欠部２６４のロック爪２６５部分を除いた周辺部を下ケース２１に対し押し上げ動作させる押し上げ突部３２３となっている。
【００２３】
以上のロック部材３２によれば、図１１（ａ）、図１２（ａ）及び図１３（ａ）に示したように、化粧パネル２６内に差し込み片３２１を差し込んだ状態では、化粧パネル２６の切欠部２６４に設けた左右のロック爪２６５がロック溝３２２に嵌め込まれた状態になる。これにより、蓋部２の本体、即ち、下ケース２１に化粧パネル２６を固定したロック状態が維持される。
また、ロック部材３２を下ケース２１から引き抜こうとすると、図１１（ｂ）及び図１２（ｂ）に示したように、ロック爪２６４からロック溝３２２が外れるともに、図１３（ｂ）に示したように、化粧パネル２６の切欠部２６４のロック爪２６５部分を除いた周辺部を押し上げ突部３２３が下ケース２１に対し押し上げ動作させる。これにより、化粧パネル２６の取り外しが容易に行えるようになる。
【００２４】
なお、以上の実施形態においては、折り畳み式携帯電話機としたが、本発明はこれに限定されるものではなく、他の携帯電子機器であっても良い。
また、その他、具体的な細部構造等についても適宜に変更可能であることは勿論である。
【図面の簡単な説明】
【００２５】
【図１】本発明を適用した携帯電子機器の一実施形態の構成を示すもので、折り畳み式携帯電話機を開いた状態を示す正面図（ａ）、背面図（ｂ）、左右から見た側面図（ｃ）（ｄ）、上下から見た端面図（ｅ）（ｆ）である。
【図２】図１の折り畳み式携帯電話機を折り畳んだ状態を示す正面図（ａ）、背面図（ｂ）、左右から見た側面図（ｃ）（ｄ）、上下から見た端面図（ｅ）（ｆ）である。
【図３】図１の折り畳み式携帯電話機の本体部を構成する上ケース、中ケース及びメイン基板等を示した分解斜視図である。
【図４】図１の折り畳み式携帯電話機の本体部を構成する下ケース及びヒンジピース等を示した分解斜視図である。
【図５】図１の折り畳み式携帯電話機の蓋部を構成する上ケース、中ケース、下ケース及び化粧パネル等を示した分解斜視図である。
【図６】図５の化粧パネルの蓋部本体への取付構造を示すもので、第１実施形態を示した分解斜視図である。
【図７】化粧パネル取付構造の第２実施形態を示した蓋部の平面図である。
【図８】図７の矢印Ａ−Ａ線に沿った断面図である。
【図９】図８の化粧パネルと蓋部本体の分解斜視図である。
【図１０】図９の蓋部本体に対する化粧パネルの取付方を示した斜視図である。
【図１１】化粧パネル取付構造の第３実施形態を示すもので、蓋部に備えるロック部材によるロック状態（ａ）とロック解除状態（ｂ）を示した平面図である。
【図１２】図１１（ａ）の矢印Ａ−Ａ線に沿った断面図（ａ）と図１１（ｂ）の矢印Ａ−Ａ線に沿った断面図（ｂ）である。
【図１３】図１１（ａ）の矢印Ｂ−Ｂ線に沿った断面図（ａ）と図１１（ｂ）の矢印Ｂ−Ｂ線に沿った断面図（ｂ）である。
【符号の説明】
【００２６】
１  本体部
２  蓋部（本体）
２０２  メイン表示部
２０３  サブ表示部
２０５  撮像レンズ
２０６  フラッシュ用ＬＥＤ（発光部材）
２１  下ケース
２１ａ  係合片（差し込み係合部）
２１ｂ・２１ｃ・２１ｄ・２１ｅ  係合孔（差し込み係合部）
２２  中ケース
２３  上ケース
２６  化粧パネル
２６１・２６２・２６３  開口部
２６４  切欠部
２６５  ロック爪
２６ａ・２６ｃ  差し込み爪（差し込み係合部）
２６ｂ  差し込み突起（差し込み係合部）
２６ｄ・２６ｅ  差し込み片（差し込み係合部）
２９  接着部材（両面テープ、粘着ゴム）
３１  グロメット（差し込み係合部）
３２  ロック部材
３２１  差し込み片
３２２  ロック溝
３２３  押し上げ突部
【図１】
2005167788.tif 000003
【図２】
2005167788.tif 000004
【図３】
2005167788.tif 000005
【図４】
2005167788.tif 000006
【図５】
2005167788.tif 000007
【図６】
2005167788.tif 000008
【図７】
2005167788.tif 000009
【図８】
2005167788.tif 000010
【図９】
2005167788.tif 000011
【図１０】
2005167788.tif 000012
【図１１】
2005167788.tif 000013
【図１２】
2005167788.tif 000014
【図１３】
2005167788.tif 000015